(57)【要約】      （修正有）【課題】シート部材及びシートシャッターを提供する。【解決手段】複数のシート部材１０が、互いの側縁部１２を突き合わせて隣り合わせに垂下されることにより全体として薄板状の隔壁となるように配設され、隣り合うシート部材１０同士の間において前記隔壁を開閉可能とするシートシャッター１を構成するシート部材１０であって、側縁部１２の長さ方向全体に亘って配設された棒状の磁石を備えてなる。【選択図】図１
0003225404.tif 000002
【実用新案登録請求の範囲】
【請求項１】
複数のシート部材が、互いの側縁部を突き合わせて隣り合わせに垂下されることにより全体として薄板状の隔壁となるように配設され、隣り合う前記シート部材同士の間において前記隔壁を開閉可能とするシートシャッターを構成するシート部材であって、
前記側縁部の長さ方向全体に亘って配設された棒状の磁石を備えてなる
ことを特徴とするシート部材。
【請求項２】
前記側縁部は前記磁石を内包してなる
ことを特徴とする請求項１に記載のシート部材。
【請求項３】
前記磁石は、
一部分のみで前記側縁部に対して固定されると共に、他の部分において前記磁石若しくは前記側縁部の長さ方向への伸縮変形により前記側縁部との境界部分におけるずれ動き可能に内包されてなる
ことを特徴とする請求項１若しくは請求項２に記載のシート部材。
【請求項４】
前記磁石は、上端部において前記側縁部に対して固定されてなる
ことを特徴とする請求項３に記載のシート部材。
【請求項５】
請求項１から請求項４のいずれか１つに記載のシート部材によって構成されてなる
ことを特徴とするシートシャッター。
【考案の詳細な説明】
【技術分野】
【０００１】
本考案は倉庫、工場、若しくは店舗等の出入り口で使用されるシートシャッターに関し、特に、複数のシート部材が隣り合わせに垂下されてなる帯状のシートシャッター、並びに該シートシャッターを構成するシート部材に関する。
【背景技術】
【０００２】
従来、出入り口を塞いで室内の保温を行う目的や、耐火を目的として、前記出入り口を塞ぐシートシャッターが知られている。また、特許文献１では、ほぼ水平に設置される巻取軸と、この巻取軸に相互に接して隣り合うように一端が巻き付けられて下方に垂れ下がる多数の耐火機能を有する帯状シートと、これら各帯状シートの下端部にそれぞれ個別に取り付けられた各帯状シートの幅とほぼ同じ長さの棒状錘と、前記巻取軸を回転駆動して前記各帯状シートを巻き上げ・巻き降ろしする駆動機構とを備えた耐火スクリーンが開示されている。
【先行技術文献】
【特許文献】
【０００３】
【特許文献１】特開平８−１６４２１８号公報
【考案の概要】
【考案が解決しようとする課題】
【０００４】
しかしながら、従来、複数のシートを水平方向に隣り合わせて、前記出入り口を塞ぐシートシャッターは、隣接するシート同士の間に隙間が生じることから、十分に保温効果等のシートシャッターの効果を奏することができなかった。
【課題を解決するための手段】
【０００５】
そこで、上記課題を解決するための手段として本考案に係るシート部材は、複数のシート部材が、互いの側縁部を突き合わせて隣り合わせに垂下されることにより全体として薄板状の隔壁となるように配設され、隣り合う前記シート部材同士の間において前記隔壁を開閉可能とするシートシャッターを構成するシート部材であって、前記側縁部の長さ方向全体に亘って配設された棒状の磁石を備えてなることを特徴とする。
【０００６】
前記棒状の磁石は、ゴム磁石であることが好ましいが、他の硬質の磁石であってもよい。
【０００７】
ここでいう「棒状」という語は、「側縁部の長さ方向の全体に亘る長さに一体として形成されてなる」という意味に解釈されるべきである。このため、断面形状や厚み（断面円形の場合にあっては直径）等について限定的に解釈してはならない。したがって、断面が正四角形であっても、断面が円形であってもよく、また、シート状に形成されてなる磁石であってもよい。
【０００８】
上述した構成に係る本考案にあっては、前記棒状の磁石が前記側縁部の長さ方向全体に亘って配設されてなることから、磁石同士が長さ方向の全体に亘って互いに引き合い、隣に位置する他のシート部材との間に隙間を生じず、隣接する二つのシート部材の接合部における空気の出入りを遮蔽することができる。
【０００９】
また、前記側縁部は前記磁石を内包してなることとしても好ましい。
【００１０】
内包とは、内部に含み持つことをいう。このため、シート自体の前記側縁部で前記磁石を巻回することで内包してもよく、また、前記シートの側縁に、前記磁石を包み込んで取り付ける磁石取付用の部材を設けてもよい。
【００１１】
上述した構成に係る本考案にあっては、使用者に対して、前記磁石が剥き出しの状態で前記側縁部に配設された状態よりも美感上優れた印象を与えることができる。
【００１２】
また、前記磁石は、一部分のみで前記側縁部に対して固定されると共に、他の部分において前記磁石若しくは前記側縁部の長さ方向への伸縮変形により前記側縁部との境界部分におけるずれ動き可能に内包されてなることとしても好ましい。
【００１３】
一部分とは、シート部材の側縁部における、磁石を固定する一部位をいう。したがって、上述した一部分のみで前記側縁部に対して前記磁石が固定される場合は、前記磁石の他の部分は前記側縁部と互いに長さ方向へのずれ動きが可能な状態となる。
【００１４】
固定する手段としては、各種の手段を用いることができるが、例えば、タッカー、釘、螺子、若しくは接着剤等を採用することができる。
【００１５】
前記磁石と他の部材とは素材が異なることから、それぞれの部材の熱膨張率が異なる場合がある。これにより、前記シート部材の存在する場所の気温のいかんによってそれぞれの部材の長さが変化することとなる。この場合には、前記側縁部と前記磁石との間の相対的な長さの変化の違いにより、前記側縁部と前記磁石との間で撓みが生じ、隣に位置する他のシート部材と上手く接合できないという事態が生ずる。
そこで、前記の構成に係る本考案にあっては、一部分のみで前記磁石を固定すると共に、他の部分において前記磁石若しくは前記側縁部の長さ方向への伸縮変形により、前記磁石と、前記側縁部との境界部分におけるずれ動き可能に内包することで、熱膨張が生じた場合であっても、前記磁石若しくは前記側縁部の変形が、前記側縁部の形状の変化を促すことを抑制することができ、前記側縁部の撓みが生じない。これにより、隣のシート部材との確実な接合を実現することができる。
【００１６】
また、前記磁石は、上端部において前記側縁部に対して固定されてなることとしても好ましい。
【００１７】
この場合、前記磁石が熱膨張により前記側縁部に対して相対的に伸びた場合であっても、下端方向へと前記磁石が伸びる。さらに、前記磁石には下端方向すなわち鉛直下向き方向への重力が加わるから、熱膨張による伸びがまっすぐなものとなる。これにより、上述した撓みを抑制し、さらに確実な接合を実現することができる。
【００１８】
また、本考案に係るシートシャッターは、前述したシート部材によって構成されてなることを特徴とする。
【００１９】
このようなシートシャッターは、前記シート部材同士を確実に接合することができることから、隣接するシート部材の接合部における空気の出入りを遮蔽することができる。
【００２０】
なお、前述したシート部材を構成するシートとしては、任意に選択する各種素材を使用することができる。すなわち、断熱性を有する素材を選択した場合にあっては、本考案の構造と相まって従来よりも大きな断熱効果を得ることができ、また、耐火性を有する素材を選択した場合にあっては、本考案の構造と相まって従来よりも大きな耐火効果を得ることができる。
【考案の効果】
【００２１】
本考案に係るシート部材によれば、前記棒状の磁石が前記側縁部の長さ方向全体に亘って配設されてなることから、隣に位置する他のシート部材との間に隙間を生じず、隣接する二つのシート部材の接合部における空気の出入りを遮蔽することができる。
【００２２】
また、本考案に係るシートシャッターによれば、前記シート部材同士を確実に接合することができることから、隣接するシート部材の接合部における空気の出入りを遮蔽することができる。
【００２３】
またさらに、前記磁石を、一部分のみで前記側縁部に対して固定されると共に、他の部分において前記磁石若しくは前記側縁部の長さ方向への伸縮変形により前記側縁部との境界部分におけるずれ動き可能に内包されてなる構成とした場合にあっては、熱膨張が生じた場合であっても、前記磁石若しくは前記側縁部の変形が、前記側縁部の形状の変化を促すことを抑制することができ、前記側縁部の撓みが生じない。これにより、隣のシート部材との確実な接合を実現することができる。
【図面の簡単な説明】
【００２４】
【図１】シートシャッター１の正面図である。
【図２】シートシャッター１の一部を開いた状態の正面図である。
【図３】シート部材１０の正面図である。
【図４】シート部材１０の右側面図である。
【図５】図３において一点鎖線で囲まれた領域の拡大図である。
【図６】図５におけるＡ−Ａ線断面図である。
【図７】図３におけるＢ−Ｂ線拡大断面図である。
【考案を実施するための形態】
【００２５】
以下、本考案に係る実施の形態の一例を、図を参照しながら詳しく説明する。なお、本明細書及び図面において、実質的に同一の機能構成を有する構成要素については、同一の符号を付することにより重複説明を省略する。
【００２６】
また、本考案の技術的範囲は実用新案登録請求の範囲の記載によって定められるべきであって、本実施の形態の記載に限定して解釈することはできない。
【００２７】
まず初めに、本実施の形態におけるシートシャッター１の構成について説明する。
【００２８】
図１に示すように、本実施形態におけるシートシャッター１は、複数のシート部材１０が、門状の建具枠２に吊下げられてなる。建具枠２は、２本の柱部材と、その上端に横架されてなる架橋部材とを備えてなる。また、複数のシート部材１０のそれぞれの上端には、吊下げ金具１３が配設されてなる。これにより、複数のシート部材１０は、互いの側縁部１２を突き合わせて隣り合わせに前記架橋部材から垂下されてなる。
またさらに、複数のシート部材１０が隣り合わせに垂下されることにより、シートシャッター１全体として薄板状の隔壁を形成してなる。
【００２９】
また図２に示すように、シートシャッター１は、隣り合うシート部材１０同士の間において前記隔壁を開閉可能に接合されてなる。
【００３０】
次に、本実施の形態におけるシート部材１０の構成について説明する。
【００３１】
図３から図７に示すように、シート部材１０は、シート１１と、シート１１の左右の側縁をそれぞれ被覆してなる被覆部材１６と、シート部材１０の下端部において一方の被覆部材１６から他方の被覆部材１６へと跨って配設されてなる補強部材１９と、被覆部材１６に内包されてなる磁石１５と、シート部材１０の上端部において磁石１５を被覆部材１６に固定するタッカー１４と、シート１１の上端に配設されてなる吊下げ金具１３とを備えてなる。
【００３２】
シート１１は、長尺の矩形に形成されてなる。さらに、薄手に形成されてなる。またさらに、シート１１は透過性を有してなり、可撓性を有する樹脂によって成形されてなる。
【００３３】
被覆部材１６は、シート１１と同じ長さに形成されてなる。さらに、被覆部材１６には、シート１１の外縁を挟み込む溝が形成されてなる。この溝は、溝の浅い部分においてシート１１の厚みと同じ若しくは僅かに狭い幅に形成されてなる狭幅部１７と、溝の深い部分においてシート１１の厚みよりも大きい幅に形成されてなる幅広部１８とが形成されてなる。また、被覆部材１６は可撓性を有する樹脂によって成形されてなる。
また、被覆部材１６は、シート１１の側縁の長さ方向の全体を狭幅部１７で挟み込むことで、シート１１に固定されてなる。なお、挟み込むことに替えて、若しくは加えて、接着剤、タッカー  、螺子等でシート１１と固定することとしてもよい。さらに、被覆部材１６は一方の側縁部１２と他方の側縁部１２とのそれぞれに配設されてなる。
【００３４】
補強部材１９は、シート部材１０の幅よりも僅かに短い長さに形成されてなる矩形の板状部材である。補強部材１９は可撓性を有する樹脂によって形成されてなる。
また、補強部材１９は、シート部材１０の下端部において一方の被覆部材１６から他方の被覆部材１６へと跨るように配設されてなり、シート部材１０の正面と背面の双方にそれぞれ配設されてなる。さらに、補強部材１９は、螺子によって一方の被覆部材１６、シート１１、及び他方の被覆部材１６のそれぞれと螺着されてなる。
【００３５】
磁石１５は、断面四角形であって、棒状に形成されてなる。また、磁石１５はシート１１と同じ長さに形成されてなる。またさらに、磁石１５はゴム磁石であって、可撓性を有する。
また、磁石１５は一方の側縁部１２と他方の側縁部１２とのそれぞれに配設されてなる。さらに、磁石１５は被覆部材１６の幅広部１８によって内包されてなる。なお、磁石１５の側周壁と被覆部材１６の幅広部１８の内壁面との間には隙間が形成されてなり、その境界部分においてずれ動き可能となっている。
【００３６】
タッカー１４は、金属の棒状に形成されてなる。
また、タッカー１４は、シート部材１０の上端部において、被覆部材１６に内包されてなる磁石１５を被覆部材１６の表面から貫通することによって固定している。なお、タッカー１４は、釘、螺子、若しくは接着剤等によっても代替することができる。
【００３７】
吊下げ金具１３は、シート部材１０の上端に配設されてなる。吊下げ金具１３は、建具枠２にシート部材１０を取り付けるために使用される。吊下げ金具１３の構成としては、建具枠２の架橋部材に配設されてなるフックが挿通可能に穿設されてなる孔を有する構成、又は、建具枠２の上部に配設されてなるガイドレールをレール方向に移動可能なローラーを有する構成等を採用することができる。
【００３８】
次に、本実施の形態におけるシート部材１０及びシートシャッター１の作用及び効果を説明する。
【００３９】
本実施形態に係るシート部材１０は、側縁部１２においてシート１１と同じ長さに形成されてなる棒状の磁石１５を備えてなる。
この場合、隣接して配置されるシート部材１０は、互いの側縁部１２に配設されてなる磁石１５同士で側縁部１２の長さ方向全体に亘って引き合う。
このことから、本実施形態に係るシート部材１０は、隣接する他のシート部材１０との間に隙間を生じず、隣接する二つのシート部材１０の接合部における空気の出入りを遮蔽することができる。さらに、本実施形態に係るシートシャッター１も同様に、このようなシート部材１０を用いることから隙間を生じず、隣接するシート部材１０の接合部における空気の出入りを遮蔽することができる。
【００４０】
本実施形態に係るシート部材１０は、側縁部１２において磁石１５が被覆部材１６によって内包されてなる。
この場合、磁石１５が被覆部材１６によって覆われて、周囲から磁石１５が見えにくくなる。
このことから、本実施形態に係るシート部材１０は、磁石１５の形状が直接使用者に視認されず、使用者に対して美感上優れた印象を与える。本実施形態に係るシートシャッター１も、このようなシート部材１０を用いることから同様の効果を奏する。
【００４１】
本実施形態に係るシート部材１０は、タッカー１４により磁石１５が一部分のみで側縁部１２に対して固定されている。さらに、前記一部分以外の部分においては、被覆部材１６の幅広部１８の内壁面との間に隙間が形成されてなる。
この場合、本実施形態に係るゴムを含有する磁石１５が熱膨張によって伸び縮みした場合であっても、前記隙間によって前記一部分以外の部分が固定されることなくフリーとなっている。
これにより、季節が夏の間など、シートシャッター１の周囲の気温が高くなった場合などにも、熱膨張による磁石１５の変形が側縁部１２の形状の変形を促すことを抑制することができ、側縁部１２の撓みが生じない。これにより、本実施形態に係るシート部材１０は隣接する他のシート部材１０との確実な接合を実現することができる。本実施形態に係るシートシャッター１も、このようなシート部材１０を用いることから同様の効果を奏する。
【００４２】
特に、本実施形態に係るシート部材１０にあっては、前記磁石１５が側縁部１２の上端部において固定されてなる。
これにより、前記磁石１５が熱膨張により前記側縁部１２に対して相対的に伸びた場合、下端方向へと磁石１５が伸びることとなる。これから、磁石１５の熱膨張による伸びがまっすぐなものとなる。
これらのことから、例えば、季節の移り変わりによってシート部材１０の周囲の気温が変化する環境にあっても上述した側縁部１２の形状の変形をさらに抑制し、隣接する他のシート部材１０とのさらに確実な接合を実現することができる。本実施形態に係るシートシャッター１も、このようなシート部材１０を用いることから同様の効果を奏する。
【００４３】
本実施形態に係るシート部材１０は、隣接する他のシート部材１０と磁石１５の引き合う力のみによって接合されてなる。
この場合、磁石１５の引き合う力に抗してシート部材１０同士の接合部付近に力を加えることで、容易にシート部材１０同士の接合を引き離すことができる。
これによって、本実施形態に係るシートシャッター１は、一のシート部材１０と隣接する他のシート部材１０との接合部において容易に開き、出入りすることができる。
【００４４】
本実施形態に係るシート部材１０は、シート１１、被覆部材１６、及び磁石１５の各部材がそれぞれ可撓性を有してなる。
この場合、これらすべての部材を一体として屈曲させることができる。
これにより、本実施形態に係るシート部材１０は、隣接する他のシート部材１０との間で、屈曲させながら開くことができる。したがって、図２に示すように、シート部材１０同士の接合部において、接合部を裂くように開くことができる。本実施形態に係るシートシャッター１も、このようなシート部材１０を用いることから同様の効果を奏する。
【００４５】
本実施形態に係るシート部材１０は、その下端部において板状の補強部材１９を有してなる。
この場合、台車等と接触する頻度の高い位置に補強部材１９を有してなることから、補強部材１９が台車等とシート１１との直接の衝突を妨げる。
これにより、シート１１の耐久性を高めるとともに、シート１１が破れることを抑制することができる。本実施形態に係るシートシャッター１も、このようなシート部材１０を用いることから同様の効果を奏する。
【００４６】
特に、本実施形態に係るシート部材１０は、補強部材１９が一方の被覆部材１６から他方の被覆部材１６へと跨るように配設されてなる。すなわち、シート部材１０の長さ方向の一部において、露出しているシート１１の幅の全体を補強部材１９が覆ってなる。
この場合、補強部材１９に覆われている高さにおいては、シート１１に対して直接に台車等が衝突することがない。
これにより、当該高さにおけるシート１１の耐久性をより高めるとともに、シート１１が破れることをさらに抑制することができる。
【００４７】
またさらに、補強部材１９は、シート部材１０の下端部において錘の作用を奏する。
これにより、垂下されてなる複数のシート部材１０の全てが確実に鉛直に垂下されることとなる。
このことによって、シート部材１０は、それぞれの地面に対する角度が一致することとなり、さらに確実な接合を実現することができる。
【００４８】
なお、本実施形態に係るシート部材１０及びシートシャッター１は、磁石１５が側縁部１２の長さ方向へ伸縮変形することにより生じる側縁部１２の撓みを防止するだけでなく、被覆部材１６が側縁部１２の長さ方向へと磁石１５に対して相対的に伸縮変形することに起因する側縁部１２の撓みをも防止することができる。
【符号の説明】
【００４９】
１  シートシャッター
２  建具枠
１０  シート部材
１１  シート
１２  側縁部
１３  吊下げ金具
１４  タッカー
１５  磁石
１６  被覆部材
１７  狭幅部
１８  幅広部
１９  補強部材
【図１】
0003225404.tif 000003
【図２】
0003225404.tif 000004
【図３】
0003225404.tif 000005
【図４】
0003225404.tif 000006
【図５】
0003225404.tif 000007
【図６】
0003225404.tif 000008
【図７】
0003225404.tif 000009
【手続補正書】
【提出日】令和1年12月24日(2019.12.24)
【手続補正１】
【補正対象書類名】実用新案登録請求の範囲
【補正対象項目名】請求項３
【補正方法】変更
【補正の内容】
【請求項３】
前記磁石は、
一部分のみで前記側縁部に対して固定されると共に、他の部分において前記磁石若しくは前記側縁部の長さ方向への伸縮変形により前記側縁部との境界部分においてずれ動き可能に内包されてなる
ことを特徴とする請求項１若しくは請求項２に記載のシート部材。
【手続補正２】
【補正対象書類名】明細書
【補正対象項目名】００１２
【補正方法】変更
【補正の内容】
【００１２】
また、前記磁石は、一部分のみで前記側縁部に対して固定されると共に、他の部分において前記磁石若しくは前記側縁部の長さ方向への伸縮変形により前記側縁部との境界部分においてずれ動き可能に内包されてなることとしても好ましい。